(57)【特許請求の範囲】
【請求項１】
テントで開閉するハウスの圃場に埋設した昇降式の建柱に俯角調整自在に設けた防霜ファンを利用する作物の栽培方法であって、
前記作物の実割れの防止を図るために、前記建柱を収縮し、かつハウスをテントで隠蔽して、前記防霜ファンを略水平状態に維持して、空気を略水平に送風する栽培と、
また、前記作物の防霜を図るために、前記建柱を伸張し、かつ前記ハウスのテントを開放して、前記防霜ファンを伏角状態に維持して、暖気を吹き降ろす栽培と、
を選択的に採用する構成とした防霜ファンを利用する作物の栽培方法。
【請求項２】
請求項１に記載の防霜ファンを利用する作物の栽培方法であって、
前記建柱を伸張の長さ略７０００ｍｍ〜８０００ｍｍとし、また建柱を収縮の長さ略５０００ｍｍ〜６０００ｍｍとした防霜ファンを利用する作物の栽培方法。
【請求項３】
請求項１に記載の防霜ファンを利用する作物の栽培方法であって、
前記テントの高さを略５０００ｍｍ〜７０００ｍｍとした防霜ファンを利用する作物の栽培方法。
【請求項４】
請求項１に記載の防霜ファンを利用する作物の栽培方法であって、
前記作物の高さを略４０００ｍｍ〜６０００ｍｍとした防霜ファンを利用する作物の栽培方法。
【発明の詳細な説明】
【技術分野】
【０００１】
本発明は、防霜ファンを利用する作物の栽培方法に関する。
【背景技術】
【０００２】
従来、りんご、梨、葡萄、桃等の果実類では、結実の確保と、さび果の軽減化、果実肥大の促進や、果形の確保等の如く、高品質の果実の収穫の拡充が要望されている。また農薬の使用の軽減化、環境保護も重要な問題である。尚、野菜類でもほぼ同様であり、そのために種々の方法が採用されている。その中の一つで、簡易、かつ省エネルギーであって、自然の気候条件を有効利用する方法として、防霜ファンが知られている。この防霜ファンも、建柱に設けた防霜ファン装置から、昇降式の防霜ファン装置へと進化した。そして、この進化の過程において、防霜ファンの俯角及び／又は軌跡の制御による多面的な防霜効果を図ることを意図する防霜ファン装置が提案されており、本出願人もこれらの防霜ファン装置及び／又はその改良に深く関わってきた。
【０００３】
この流れの一環として、市場では、防霜ファン装置をさらに進化させ、前述の果実類における結実の確保と、さび果の軽減化、果実肥大の促進や、果形の確保等の如く、高品質の果実の収穫の拡充を図る方法が要望されている。
【０００４】
以上のような観点に鑑み、関連性が窺える、従来の文献を列記する。この文献は、主として、作物の栽培方法に関するものであり、以下に概述する。
【０００５】
先ず、文献（１）は、特開２００４−２２２５５３「無農薬桜桃の栽培方法」である。この文献（１）では、次のような説明がある。「果樹栽培においては、病害虫駆除の見地から農薬散布が行われる、通常は、年間に何度も農薬を散布して栽培されている。しかし、果樹は野菜等のように生育途中で収穫する作物とは異なり、永年作物であるために、樹体の保持が重要であり、消毒は不可欠であること、また放置すると樹体の枯死があること、又は高品質の果実が収穫できないこと等の問題があり、農家では、葡萄、桃等の病害虫駆除基準として、年間に、葡萄では９回、桃では１３回、りんごでは１４回、梨では１５回、桜桃では８回の農薬散布を行うことが指導されている。そして、露地栽培ではなくハウス栽培による場合は、年間を通して農薬散布する回数が露地栽培よりも多くなる。ハウス栽培の場合はハウス内の温度が必然的に高温になるため、ハウス内に存在しているダニ類や灰星菌といった菌類、オウトウショウジョウバエ等の害虫が発生しやすくなること、ハウス栽培の場合は、露地栽培よりも早く収穫するパターンが多くなるので、収穫後、翌年までの期間が長くなり、この期間には外気温が高温になってダニ類が発生しやすくなるといったことから、何回も農薬散布することから、農薬散布の弊害は一層深刻であることが開示されている」。
【０００６】
また文献（２）は、再公表特許ＷＯ２００２／０２３９７４の「種々の環境ストレス耐性を改良した植物、その作出方法、並びにポリアミン代謝関連酵素遺伝子」である。この文献（２）では、次のような説明がある。「植物はそれぞれの生息地の温度や塩などの様々な環境ストレスに適応して生活している。しかし、例えば、温度ストレスにおいては、植物が生育適温の上限または下限を超えるような環境に遭遇すると高温ストレスや低温ストレスを受け、徐々にあるいは急激に細胞の生理機能が損なわれて障害を引き起こす。これまで、種々の温度環境に適応した野生の植物を食料作物や工芸作物等に利用するために、選抜や交雑育種など育種的手段によって作物の温度適応性の拡大に努めてきた。また、野菜や花弁、果樹等の園芸作物においては育種的手段に加えて、施設園芸で栽培可能な期間の拡大を図ってきた。しかし、我国では、地域によっては気候が著しく異なるとともに、四季の変化が著しいので地域や季節によっては作物の生育に不適な温度環境にさらされる蓋然性がある。例えば、トマト、キュウリ、メロン、西瓜等果菜類の中には熱帯起源の作物が多い。これらの作物は需要が大きく農業経営上も重要性の大きい作物で早くから施設栽培に取り入れられてきたが、近時、施設園芸における省資源や暖房コストの低減が問題となっている。施設園芸における省資源については温室の構造的なものから栽培技術まで各方面から検討されているが、最も基本的なことは作物の低温ストレス耐性を高めることである。又は近年、地球温暖化やエルニーニョ現象が原因と考えられる異常気象によって作物が重大な被害を受けることは知られている」。
【０００７】
さらに文献（３）は、特開平１−１７１４１５号の「寒冷地における温室メロンの早出し栽培方法」である。この文献（３）では、次のような説明がある。「道内では、温室メロンの栽培に適しており、その理由は、湿度の管理の容易化及び／又は梅雨のない道内では、カビ、バクテリアの発生が少ないことが挙げられる。しかし、その反面、道内では土の温度が低いという弊害が挙げられる。そこで、この発明は、土中に熱媒体を配管することで、メロン苗の第一果着位置付近の土中の温度と、夜間の冷え込みを回避し、早期の出荷を意図する」。
【０００８】
【特許文献１】特開２００４−２２２５５３
【特許文献２】ＷＯ２００２／０２３９７４
【特許文献３】特開平１−１７１４１５号
【発明の開示】
【発明が解決しようとする課題】
【０００９】
従来の防霜ファン装置では、俯角調整を人手に頼ることから、建柱を伸張した状態（高所）では、俯角は設定された状態での送風となる。従って、本発明が意図し、かつ防霜ファン装置をさらに進化させ、前述の果実類における結実の確保と、さび果の軽減化、果実肥大の促進や、果形の確保等の如く、高品質の果実の収穫の拡充を図る方法等の市場で要望する栽培方法は困難視される。またこの栽培方法に使用する自動的に俯角が調整できる防霜ファン装置が要望される状況である。
【００１０】
尚、前述の文献（１）〜（３）は、果実の栽培方法で、結実の確保と、さび果の軽減化、果実肥大の促進や、果形の確保等の如く、高品質の果実の収穫の拡充を図る方法であるが、（イ）農薬の問題解消、（ロ）低温ストレス耐性を高めること、（ハ）土中に熱媒体を配管することで、メロン苗の第一果着位置付近の土中の温度調整や、夜間の冷え込みを回避することであり、防霜ファン装置を有効利用する栽培方法ではない。
【課題を解決するための手段】
【００１１】
請求項１の発明は、露地栽培及び／又はハウス栽培を選択して栽培できる方法であって、かつ防霜ファン装置を利用して、防霜及び／又はハウス内の空気の撹拌を図ることで、果実類における結実の確保と、さび果の軽減化、果実肥大の促進や、果形の確保等の如く、高品質の果実の収穫の拡充が図れる栽培方法を提供することを意図する。また、実割れがほとんどなく、結実の確保と、さび果の軽減化、果実肥大の促進、或いは果形の確保等の如く、高品質の果実の収穫の拡充が図れる方法を市場に提供することを意図する。
【００１２】
請求項１は、テントで開閉するハウスの圃場に埋設した昇降式の建柱に俯角調整自在に設けた防霜ファンを利用する作物の栽培方法であって、
前記作物の実割れの防止を図るために、前記建柱を収縮し、かつハウスをテントで隠蔽して、前記防霜ファンを略水平状態に維持して、空気を略水平に送風する栽培と、
また、前記作物の防霜を図るために、前記建柱を伸張し、かつ前記ハウスのテントを開放して、前記防霜ファンを伏角状態に維持して、暖気を吹き降ろす栽培と、
を選択的に採用する構成とした防霜ファンを利用する作物の栽培方法である。
【００１３】
【００１４】
【００１５】
請求項２の発明は、請求項１の目的を達成すること、この目的を達成するのに最適な建柱の立設長さを提供することを意図する。
【００１６】
請求項２は、請求項１に記載の防霜ファンを利用する作物の栽培方法であって、
前記建柱を伸張の長さ略７０００ｍｍ〜８０００ｍｍとし、また建柱を収縮の長さ略５０００ｍｍ〜６０００ｍｍとした防霜ファンを利用する作物の栽培方法である。
【００１７】
請求項３の発明は、請求項１の目的を達成すること、この目的を達成するのに最適なハウスのテントの高さを提供すること等を意図する。
【００１８】
請求項３は、請求項１に記載の防霜ファンを利用する作物の栽培方法であって、
前記テントの高さを略５０００ｍｍ〜７０００ｍｍとした防霜ファンを利用する作物の栽培方法である。
【００１９】
請求項４の発明は、請求項１の目的を達成すること、この目的を達成するのに最適な作物の高さ（樹木の高さ）を提供すること等を意図する。
【００２０】
請求項４は、請求項１に記載の防霜ファンを利用する作物の栽培方法であって、
前記作物の高さを略４０００ｍｍ〜６０００ｍｍとした防霜ファンを利用する作物の栽培方法である。
【００２１】
【００２２】
【００２３】
【００２４】
【００２５】
【００２６】
【００２７】
【００２８】
【００２９】
【００３０】
【発明の効果】
【００３１】
請求項１の発明は、テントで開閉するハウスの圃場に埋設した昇降式の建柱に俯角調整自在に設けた防霜ファンを利用する作物の栽培方法であって、
作物の実割れの防止を図るために、建柱を収縮し、かつハウスをテントで隠蔽して、防霜ファンを略水平状態に維持して、空気を略水平に送風する栽培と、
また、作物の防霜を図るために、建柱を伸張し、かつハウスのテントを開放して、防霜ファンを伏角状態に維持して、暖気を吹き降ろす栽培と、
を選択的に採用する構成とした防霜ファンを利用する作物の栽培方法である。
【００３２】
従って、請求項１は、露地栽培及び／又はハウス栽培を選択して栽培できる方法であって、かつ防霜ファン装置を利用して、防霜及び／又はハウス内の空気の撹拌を図ることで、果実類における結実の確保と、さび果の軽減化、果実肥大の促進や、果形の確保等の如く、高品質の果実の収穫の拡充が図れる栽培方法を提供できる特徴がある。また、実割れがほとんどなく、結実の確保と、さび果の軽減化、果実肥大の促進、或いは果形の確保等の如く、高品質の果実の収穫の拡充が図れる方法を市場に提供できる実益がある。
【００３３】
【００３４】
【００３５】
請求項２の発明は、請求項１に記載の防霜ファンを利用する作物の栽培方法であって、
建柱を伸張の長さ略７０００ｍｍ〜８０００ｍｍとし、また建柱を収縮の長さ略５０００ｍｍ〜６０００ｍｍとした防霜ファンを利用する作物の栽培方法である。
【００３６】
従って、請求項２は、請求項１の目的を達成できること、この目的を達成するのに最適な建柱の立設長さを提供できること等の特徴がある。
【００３７】
請求項３の発明は、請求項１に記載の防霜ファンを利用する作物の栽培方法であって、
テントの高さを略５０００ｍｍ〜７０００ｍｍとした防霜ファンを利用する作物の栽培方法である。
【００３８】
従って、請求項３は、請求項１の目的を達成できること、この目的を達成するのに最適なハウスのテントの高さを提供できること等の特徴がある。
【００３９】
請求項４の発明は、請求項１に記載の防霜ファンを利用する作物の栽培方法であって、
作物の高さを略４０００ｍｍ〜６０００ｍｍとした防霜ファンを利用する作物の栽培方法である。
【００４０】
従って、請求項４は、請求項１の目的を達成できること、この目的を達成するのに最適な作物の高さ（樹木の高さ）を提供できること等の特徴がある。
【００４１】
【００４２】
【００４３】
【００４４】
【００４５】
【００４６】
【００４７】
【００４８】
【００４９】
【００５０】
【発明を実施するための最良の形態】
【００５１】
以下、本発明の実施の態様（形態）を説明する。
図面の説明をすると、図１は単棟式のハウスの防霜ファン使用位置であって、防霜ファンの俯角を設定した建柱が最大に伸張する状態と雨除け（虫除け、遮光等除け）テントを開放した状態を示した側面模式図、図２は図１の背面模式図、図３は防霜ファン装置と建柱を示した側面模式図、図４は単棟式のハウスの防霜ファン使用位置であって、防霜ファンの俯角を０とした建柱が最小に収縮する状態と雨除け（虫除け、遮光等除け）テントを張装した状態を示した側面模式図、図５は図４の背面模式図、図６は防霜ファン装置と建柱を示した側面模式図、図７−１は図３の例の要部の拡大側面図、図７−２は図７−１の背面図、図８−１は図６の例の要部の拡大側面図、図８−２は図８−１の背面図である。また図９は連棟式のハウスの防霜ファン使用位置であって、防霜ファンの俯角を設定した建柱が最大に伸張する状態と雨除け（虫除け、遮光等除け）テントを開放した状態を示した背面模式図、図１０は連棟式のハウスの防霜ファン使用位置であって、防霜ファンの俯角を０とした建柱が最小に収縮する状態と雨除け（虫除け、遮光等除け）テントを張装した状態を示した背面模式図である。
【００５２】
図１〜図３、図７−１、図７−２並びに図９の状態は、ハウスの防霜ファン使用位置であって、防霜ファンの俯角を設定した建柱Ｈが最大に伸張する状態と雨除けテントを開放した状態を示した各図であり、防霜ファン装置Ａの防霜ファンＡ１が設定された俯角Ｂを維持しており、地上ＧＬＬの暖気Ｄを、作物Ｗに吹き降ろして防霜及び／又は凍霜防止等を図る状態を示しており、この建柱Ｈの高さであるが故に、テントＣは開放されている。所謂、露地栽培の状態である。この状態での防霜ファンＡ１の利用で、空気の拡散を図って、例えば、植物体温低下を防ぎ、かつ気温との温度較差を回避し、防霜効果と生育の促進等が図れる。また太陽の恵みと、外気との接触を介して結実の促進及び／又は確保と、順調な生育が図れること等の特徴がある。さらに解凍暖除効果と細胞の破壊防止等が図れることも考えられる。
【００５３】
そして、結実した状態では、実割れを防止するために、図４〜図６、図８−１、図８−２並びに図１０の状態となる。この状態は、ハウスの防霜ファン使用位置であって、防霜ファンＡ１の俯角Ｂを０（Ｂ＝０）とした建柱Ｈが最小に収縮する状態と雨除けテントＣを張装した状態を示した各図であり、防霜ファン装置Ａの防霜ファンＡ１が設定された俯角０（Ｂ＝０）を維持しており、地上ＧＬＬの暖気Ｄを、作物Ｗへ水平方向に送風Ｄ１する状態を示しており、この建柱Ｈが低い故に、テントＣは張装されている。所謂、ハウス栽培の状態である。実割れ防止に有効であり、前述の各種の効果が期待できる。また葉面の裏面への送風Ｄ１も可能となり、濡れ及び／又は萎凋化防止等に有効である。そして、前記図１〜図３、図７−１、図７−２並びに図９の状態は、結実後においても、天候及び／又は他の状況では繰り返されることもあり得る。何れにしても、図１〜図３、図７−１、図７−２並びに図９及び／又は図４〜図６、図８−１、図８−２並びに図１０の状態は、適宜選択され限定されない。またテントＣの開放及び／又は張装も前述と同様である。このテントＣの張装で、果実の啄み及び／又は朽ちれ等による被害の減少化、不良品の回避等も図れる。そして、また益虫の逃避防止等にも有効である。
【００５４】
以下、防霜ファン装置Ａ等の構成の好ましい一例を具体的に説明する。
図７−１〜図８−２に示した防霜ファン装置Ａを説明すると、建柱Ｈに設けた取付台１と、取付台１の筒部１００に筒部２００を被嵌して架承した架台２と、架台２の先端部２ａの突部２０１に設けたモータベース３と、モータベース３の可動を司るリンク機構Ｅと、モータベース３に設けたモータ４と、モータ４の出力軸４００に設けた羽根車６（ファン）と、リンク機構Ｅの操作する建柱に設けた俯角調整ストッパー８で構成する。従って、俯角Ｂ調整は、俯角調整ストッパー８によるリンク機構Ｅの押圧（建柱Ｈの収縮）で俯角Ｂを０（Ｂ＝０）とし、また俯角調整ストッパー８によるリンク機構Ｅの押圧開放（建柱Ｈの伸張）で俯角Ｂを確保する。そして、このリンク機構Ｅは、架台２に設けた対の支持板１０と、対の支持板１０に略中心部を枢支１１ａした対の第一リンク杆１１と、対の第一リンク杆１１に一端１３ａを、またモータ４に設けた対のモータ突部４０１に他端１３ｂを枢支した対の第二リンク杆１３で構成し、対の俯角調整ストッパー８による対の第一リンク杆１１に設けた作動部１１ｂの押圧で、対の第二リンク杆１３の一端１３ａ及び他端１３ｂを押下げ、モータベース３の俯角Ｂを調整可能とした構成である。図中１３００は対の第一リンク杆１１と対の第二リンク杆１３を可動自在に連結する連結軸を示す。尚、モータベース３を、側面視して略鍵形とし、モータベース３に曲面状の長孔３００を形成し、長孔３００にモータ突部４０１の枢軸４０１ａを挿設可能とし、この長孔３００に沿って枢軸４０１ａが移動することで、防霜ファンＡ１（モータ４）の設定した俯角Ｂへの復帰と、俯角Ｂの０（Ｂ＝０）の状態とを確保する。即ち、防霜ファンＡ１の俯角Ｂ調整を図る。尚、例えばこれまで述べた各例の防霜ファンＡ１は固定式であるが、首振り（地面ＧＬに対し）も可能であることは勿論である。そして、前述の俯角調整ストッパー８を建柱Ｈに設け、俯角調整ストッパー８で、第一リンク杆１１間に設けた作動部１１ｂを押上げ可能とし、前述の如く、リンク機構Ｅの押圧と、その押圧開放を図る。
【００５５】
そして、防霜ファン装置Ａの動きを概述すると、（二）防霜ファンＡ１の俯角Ｂから俯角＝０（Ｂ＝０）の過程は、建柱Ｈの収縮→俯角調整ストッパー８による第一リンク杆１１の作動部１１ｂの押上げ→第二リンク杆１３の一端１３ａ及び／又は他端１３ｂの押下げ→モータ突部４０１の可動及び／又は枢軸４０１ａのモータベース３の長孔３００での移動→モータ４の可動及び／又は羽根車６の略水平方向への可動となる（図８−１参照）。（ホ）逆に防霜ファンＡ１の俯角＝０（Ｂ＝０）から設定した俯角Ｂへの過程は、建柱Ｈの伸張→俯角調整ストッパー８による第一リンク杆１１の作動部１１ｂの押上げ開放→第二リンク杆１３の一端１３ａ及び／又は他端１３ｂの押上げ→モータ突部４０１の可動及び／又は枢軸４０１ａのモータベース３の長孔３００での復帰移動→モータ４の可動及び／又は羽根車６の設定した俯角Ｂへの復帰可動となる（図７−１参照）。
【図面の簡単な説明】
【００５６】
【図１】図１は単棟式のハウスの防霜ファン使用位置であって、防霜ファンの俯角を    設定した建柱が最大に伸張する状態と雨除け（虫除け、遮光等除け）テントを開放し    た状態を示した側面模式図
【図２】図２は図１の背面模式図
【図３】図３は防霜ファン装置と建柱を示した側面模式図
【図４】図４は単棟式のハウスの防霜ファン使用位置であって、防霜ファンの俯角を    ０とした建柱が最小に収縮する状態と雨除け（虫除け、遮光等除け）テントを張装し    た状態を示した側面模式図
【図５】図５は図４の背面模式図
【図６】図６は防霜ファン装置と建柱を示した側面模式図
【図７−１】図７−１は図３の例の要部の拡大側面図
【図７−２】図７−２は図７−１の背面図
【図８−１】図８−１は図６の例の要部の拡大側面図
【図８−２】図８−２は図８−１の背面図
【図９】図９は連棟式のハウスの防霜ファン使用位置であって、防霜ファンの俯角を    設定した建柱が最大に伸張する状態と雨除け（虫除け、遮光等除け）テントを開放し    た状態を示した背面模式図
【図１０】図１０は連棟式のハウスの防霜ファン使用位置であって、防霜ファンの俯    角を０とした建柱が最小に収縮する状態と雨除け（虫除け、遮光等除け）テントを張    装した状態を示した背面模式図
【符号の説明】
【００５７】
１              取付台
１００          筒部
２              架台
２ａ            先端部
２００          筒部
２０１          突部
３              モータベース
３００          長孔
４              モータ
４００          出力軸
４０１          モータ突部
４０１ａ        枢軸
６              羽根車（ファン）
８              俯角調整ストッパー
１０            支持板
１１            第一リンク杆
１１ａ          枢支
１１ｂ          作動部
１３            第二リンク杆
１３ａ          一端
１３ｂ          他端
１３００        連結軸
Ａ              防霜ファン装置
Ａ１            防霜ファン
Ｂ              俯角
Ｂ＝０          （俯角を）０
Ｃ              テント
Ｄ              暖気
Ｄ１            送風
Ｅ              リンク機構
Ｈ              建柱
ＧＬＬ          地上
ＧＬ            地面
Ｗ              作物
【図１】
0004782493.tif 000002
【図２】
0004782493.tif 000003
【図３】
0004782493.tif 000004
【図４】
0004782493.tif 000005
【図５】
0004782493.tif 000006
【図６】
0004782493.tif 000007
【図７−１】
0004782493.tif 000008
【図７−２】
0004782493.tif 000009
【図８−１】
0004782493.tif 000010
【図８−２】
0004782493.tif 000011
【図９】
0004782493.tif 000012
【図１０】
0004782493.tif 000013